(57)【要約】【課題】感染予防のための手袋の離脱装置を必要とせず、それ自体が感染予防に適した構造の感染予防手袋を得る。【解決手段】手の指、手のひらおよび手の甲を覆う袋部分１２と、手のひらおよび手の甲において袋部分１２を覆うカバー２０と、を有し、袋部分１２とカバー２０は、手を挿入することができる開口部１６，２２を有し、カバー２０が袋部分１２の開口部１６を覆うことができるようにカバー２０の開口部２２は袋部分１２の開口部１６よりも外側に位置することができ、カバー２０は、開口部２２とは反対側の端縁が袋部分１２への固着部３０になっていて、固着部３０から折り返すことにより袋部分１２を包囲することが可能な大きさである。【選択図】図１
2016089319.tif 000002
【特許請求の範囲】
【請求項１】
手の指、手のひらおよび手の甲を覆う袋部分と、
手のひらおよび手の甲において上記袋部分を覆うカバーと、を有し、
上記袋部分と上記カバーは、手を挿入することができる開口部を有し、
上記カバーが上記袋部分の開口部を覆うことができるように上記カバーの開口部は上記袋部分の開口部よりも外側に位置することができ、
上記カバーは、上記開口部とは反対側の端縁が上記袋部分への固着部になっていて、上記固着部から折り返すことにより上記袋部分を包囲することが可能な大きさである感染予防手袋。
【請求項２】
上記袋部分は、エラストマーからなる請求項１記載の感染予防手袋。
【請求項３】
上記カバーは、エラストマーからなる請求項１または２記載の感染予防手袋。
【請求項４】
上記カバーの開口部には、フックに引っ掛けることができる環状の部材が固着されている請求項１、２または３記載の感染予防手袋。
【発明の詳細な説明】
【技術分野】
【０００１】
本発明は、感染防止手袋に関するもので、特に医療用手袋として有効なものである。
【背景技術】
【０００２】
医療従事者は、病原菌に感染しないように、防護服、手袋、マスクなどを着用する。これらを身体から離脱するときは、防護服、手袋、マスクなどの外表面に手の指などが直接触れないように細心の注意を払い、感染の予防を行っている。
【０００３】
感染予防のために使用する手袋の離脱装置が知られている（例えば、特許文献１参照）。上記手袋の離脱装置は、手袋を装着した手指を覆う開口部を有する囲み部と、上記開口部の近傍にあって手袋の挿入口を引っ掛けるフック状の部材を有している。上記離脱装置を用いれば、開口部から囲み部に手を入れ、フック状の部材に手袋の挿入口を引っ掛けて手を引き出すことにより、手袋の表面に手指などを直接触れることなく手袋を離脱することができる。
【先行技術文献】
【特許文献】
【０００４】
【特許文献１】特開平１０-２０３号公報
【発明の概要】
【発明が解決しようとする課題】
【０００５】
特許文献１記載の発明は、感染予防のための手袋の離脱装置であって、比較的大がかりな装置になる。好ましくは、手袋自体が感染予防に適した構造になっていて、上記のような大がかりな装置を必要としないのが望ましい。
【０００６】
本発明は、感染予防のための手袋の離脱装置を必要とせず、それ自体が感染予防に適した構造になっている感染予防手袋を提供することを目的とする。
【課題を解決するための手段】
【０００７】
本発明に係る感染予防手袋は、
手の指、手のひらおよび手の甲を覆う袋部分と、
手のひらおよび手の甲において上記袋部分を覆うカバーと、を有し、
上記袋部分と上記カバーは、手を挿入することができる開口部を有し、
上記カバーが上記袋部分の開口部を覆うことができるように上記カバーの開口部は上記袋部分の開口部よりも外側に位置することができ、
上記カバーは、上記開口部とは反対側の端縁が上記袋部分への固着部になっていて、上記固着部から折り返すことにより上記袋部分を包囲することが可能な大きさであることを最も主要な特徴とする。
【発明の効果】
【０００８】
本発明に係る感染予防手袋を手に装着した状態から上記感染予防手袋を離脱させるには、カバーをその開口部から折り返しながら、袋部分をカバーで覆う。カバーを折り返すことによって、袋部分の細菌や病原菌で汚染されていない手のひらおよび手の甲に対応する表面と、カバーの裏面とが現れる。細菌や病原菌で汚染されている袋部分の先端部分はカバーで覆われる。こうして感染予防手袋の表面にはすべて細菌や病原菌で汚染されていない面が現れるので、汚染されていない面をつまんで感染予防手袋を手から離脱させればよい。手袋とは別の離脱装置は不要である。
【図面の簡単な説明】
【０００９】
【図１】本発明に係る感染予防手袋の実施例を示す平面図である。
【図２】上記実施例の側面断面図である。
【図３】上記実施例の離脱操作の途中の例を示す側面断面図である。
【図４】上記実施例の上記離脱操作に続く離脱操作の途中の例を示す側面断面図である。
【発明を実施するための形態】
【００１０】
以下、本発明に係る感染予防手袋の実施例を、図面を参照しながら説明する。
【実施例】
【００１１】
図１、図２に示すように、本実施例に係る感染予防手袋１０は、人の手の指、手のひらおよび手の甲を覆う袋部分１２と、手のひらおよび手の甲に対応する部分において袋部分１２を覆うカバー２０を有している。袋部分１２は、先端部分が人の手の指を覆う５つの指形の部分１４になっており、基端部分が手を挿入することができる開口部１６になっている。
【００１２】
カバー２０は、手のひらおよび手の甲に対応する部分において袋部分１２を覆っている。カバー２０の基端部分は手を挿入することができる開口部２２になっており、カバー２０の先端部分すなわち上記開口部２２とは反対側の端縁は、袋部分１２への固着部３０になっている。固着部３０は、袋部分１２の指形の部分１４と、袋部分１２の手の甲および手のひらとの境界に沿って連続して無端に設けられている。固着部３０を設けるための手段は任意で、例えば、溶着、あるいは接着などを用いることができる。
【００１３】
カバー２０は、袋部分１２の開口部１６を覆うことができるように、基端側が比較的長くなっていて、自然な状態で、カバー２０の開口部２２は袋部分１２の開口部１６よりも外側に位置することができる。カバー２０は、固着部３０を境にして折り返すことができ、折り返すことによって袋部分１２を、特にその指形の部分１４を包囲することが可能な大きさになっている。
【００１４】
カバー２０の開口部２２には、感染予防手袋１０を人の手に着脱するときに有効な環状の部材２４が適宜数結合されている。
【００１５】
袋部分１２の素材は、細菌や病原菌の浸透を防止することができ、さらに、指先で繊細な作業を行うのに差し支えのない、薄くて柔軟性のある素材が望ましく、本実施例ではエラストマーを用いている。カバー２０の素材も同様にエラストマーを用いている。
【００１６】
次に、感染予防手袋１０の着脱方法について説明する。感染予防手袋１０を人の手に装着するときは、カバー２０の開口部２２および袋部分１２の開口部１６から手を挿入し、５本の指をそれぞれ対応する指形の部分１４に挿入する。袋部分１２とカバー２０の基端部は弛みのないように腕に沿って伸ばす。袋部分１２の、手のひらおよび手の甲に対応する部分はカバー２０で覆われる。カバー２０の開口部２２は袋部分１２の開口部１６よりも外側に位置し、袋部分１２の開口部１６はカバー２０で覆われる。
【００１７】
感染予防手袋１０を装着した状態で医療行為などを行うことにより、感染予防手袋１０の表面が細菌や病原菌などで汚染される。そこで、感染予防手袋１０を手から離脱させるときは、環状の部材２４をつまんで指先の方に向かって引っ張る。環状の部材２４も汚染している可能性があるため、汚染されていない部材を介して環状の部材２４を引っ張る。上記汚染されていない部材の例としては、環状の部材２４に引っ掛けるフック状の部材、環状の部材２４を挟み込む部材などがある。
【００１８】
図３に示す例は、適宜の不動の部材にフック２６を取り付け、このフック２６に環状の部材２４を引っ掛け、手を引くことによって感染予防手袋１０を手から離脱させるようにしたものである。こうすることにより、環状の部材２４が汚染されていても、汚染部分に手を触れることなく感染予防手袋１０を手から離脱させることができる。フック２６は感染予防手袋１０に固着されている環状の部材２４の数に合わせて設けるとよい。
【００１９】
図３に示すように、フック２６に環状の部材２４を引っ掛け、手を引くと、カバー２０は折り返されて表裏反転しながら指先の方に向かっていく。袋部分１２の、手のひらおよび手の甲に対応する部分があらわれるが、この部分は汚染されていない。また、表裏反転して表面に現れたカバー２０の面も汚染されていない。
【００２０】
さらに手を引くと、カバー２０はさらに折り返される。折り返し部分が袋部分１２との固着部３０にまで至ると折り返しの限界位置となる。そこで、図４に示すように、カバー２０で袋部分１２の指形の部分１４を覆う。さらには、環状の部材２４同士を結び合わせるなどして、カバー２０の開口部２２を閉じ、袋部分１２の汚染部分をカバー２０内に閉じ込める。環状の部材２４が汚染されている場合もあるので、環状の部材２４もカバー２０内に収容し、上記開口部２２を封止するとよい。
【００２１】
図４に示す例では、指を折り曲げて、カバー２０で覆う容積を小さくし、カバー２０による汚染部分の閉じ込めを容易に行うことができるようにしている。感染予防手袋１０を手から離脱させるには、徐々に指を伸ばしながら感染予防手袋１０から手を引く。
【００２２】
このようにして、感染予防手袋１０の汚染部分に直接手を触れることなく感染予防手袋１０を手から離脱させることができる。手から離脱した感染予防手袋１０の表面には汚染のない面が表れているので、それ以後の感染予防手袋１０の処分作業などは容易になる。
【００２３】
図３に示すようにカバー２がある程度折り返された状態では、袋部分１２とカバー２０の汚染されていない面が表面に現れるので、この汚染されていない面を摘まみながら感染予防手袋１０を手から離脱させてもよい。
【産業上の利用可能性】
【００２４】
病院内での感染症やエボラ出血熱などが問題になっている状況において、本発明に係る感染予防手袋は、使い捨てとすることによって多くの需要が見込まれる。
【符号の説明】
【００２５】
１０    感染予防手袋
１２    袋部分
１４    指形の部分
１６    開口部
２０    カバー
２２    開口部
２４    環状の部材
２６    フック
３０    固着部
【図１】
2016089319.tif 000003
【図２】
2016089319.tif 000004
【図３】
2016089319.tif 000005
【図４】
2016089319.tif 000006